(57)【要約】      （修正有）【課題】マスク併用型フェイスシールドとマスク紐用掛止具とを、廉価な１枚のプラスチックシートから簡単に取得することができるマスク併用型フェイスシールドおよびマスク紐用掛止具を備えたキットを提供する。【解決手段】鼻および口を覆うマスクと併用して、マスクの上から顔面を覆うマスク併用型フェイスシールド１０と、頭部の後ろ側に配されて、紐掛け具本体５０にマスクの耳掛け紐を掛止する耳掛け紐掛止溝５１が形成されたマスク紐用掛止具５２とを、１枚の透明で湾曲自在なプラスチックシートＳに取り外し可能に配設した。【選択図】図１
0003228490.tif 000002
【実用新案登録請求の範囲】
【請求項１】
１枚の透明で湾曲自在なプラスチックシートに、
鼻および口を覆うマスクと併用して、該マスクの上から顔面を覆うマスク併用型フェイスシールドと、
頭部の後ろ側に配されて、紐掛け具本体に前記マスクの左右一対の耳掛け紐を各々掛止する耳掛け紐掛止溝が形成されたマスク紐用掛止具とが、それぞれ取り外し可能に取り付けられたことを特徴とするマスク併用型フェイスシールドおよびマスク紐用掛止具キット。
【請求項２】
前記マスク併用型フェイスシールドは、
前記透明で湾曲自在なプラスチックシートからなるシールド本体を有し、
該シールド本体の横方向の両端部には、前記マスクの耳掛け紐が挿通される縦長な紐通しスリットがそれぞれ形成されたことを特徴とする請求項１に記載のマスク併用型フェイスシールドおよびマスク紐用掛止具キット。
【請求項３】
前記シールド本体の横方向の両端部には、顔面の左右側の部分を覆う左右一対のサイドカバー部が配され、
前記各紐通しスリットは、対応するサイドカバー部の基端部のうち、縦方向の両端部を除く部分にそれぞれ形成されていることを特徴とする請求項２に記載のマスク併用型フェイスシールドおよびマスク紐用掛止具キット。
【請求項４】
前記シールド本体のうち、前記各紐通しスリットの形成部には、正面からの該紐通しスリットへの飛沫の侵入を防止する縦長なスリットカバーが配されたことを特徴とする請求項２又は請求項３に記載のマスク併用型フェイスシールドおよびマスク紐用掛止具キット。
【請求項５】
前記シールド本体の鼻および口との対峙部分には、通気孔が形成されたことを特徴とする請求項２〜請求項４のうち、何れか１項に記載のマスク併用型フェイスシールドおよびマスク紐用掛止具キット。
【請求項６】
前記シールド本体の鼻および口との対峙部分には、スリット状の前記通気孔を配することで、鼻の形状に合わせて変形可能な鼻口カバー部が設けられたことを特徴とする請求項５に記載のマスク併用型フェイスシールドおよびマスク紐用掛止具キット。
【請求項７】
前記鼻口カバー部は、複数の前記スリット状の通気孔を同心円上に離間配置したものである請求項６に記載のマスク併用型フェイスシールドおよびマスク紐用掛止具キット。
【請求項８】
前記紐掛け具本体の長さ方向の両端部を除く部分には、該紐掛け具本体の変形性を高める環状枠部が設けられたことを特徴とする請求項１〜請求項７のうち、何れか１項に記載のマスク併用型フェイスシールドおよびマスク紐用掛止具キット。
【請求項９】
前記耳掛け紐掛止溝は、前記紐掛け具本体の長さ方向の両端部に、それぞれ１つずつ又は所定ピッチで複数ずつ形成されたことを特徴とする請求項１〜請求項８のうち、何れか１項に記載のマスク併用型フェイスシールドおよびマスク紐用掛止具キット。
【請求項１０】
前記プラスチックシートには、広告を含む表示物が印刷されたことを特徴とする請求項１〜請求項９のうち、何れか１項に記載のマスク併用型フェイスシールドおよびマスク紐用掛止具キット。
【考案の詳細な説明】
【技術分野】
【０００１】
本考案は、マスクとともに顔面を保護するマスク併用型フェイスシールドと、マスクの紐を頭部の後ろ側で掛止するマスク紐用掛止具とを、１枚のプラスチックシートに配したマスク併用型フェイスシールドおよびマスク紐用掛止具キットに関する。
【背景技術】
【０００２】
例えば、医療現場では、鼻や口を覆うマスクと、マスク併用型フェイスシールド（以下、フェイスシールドという場合がある）との併用が行われている。
フェイスシールドは、例えば、特許文献１のように、縦長で矩形状の湾曲自在なプラスチックシート製のシールド本体と、シールド本体の上辺部に連結されて、シールド本体を頭部に取り付ける締結ベルトとを備えている。
使用時には、まず、マスクの左右一対の耳掛け紐を対応する耳に引っ掛けて、マスク本体により鼻や口を覆う。その後、締結ベルトを頭部に巻き付け、マスクの上からフェイスシールドのシールド本体により顔面を覆っていた。
【０００３】
ところで、マスク使用時には、ゴム紐などからなる耳掛け紐により、耳の裏側が常に前方へ引っ張られて、マスクを長時間装着していると、耳の裏側に痛みが発生することがあった。
従来、これを解消するものとして、例えば、特許文献２に記載されたマスク紐用掛止具が知られている。これは、横長なプラスチック板からなる紐掛け具本体を有し、その長さ方向の両端部に、マスクの耳掛け紐を掛止する耳掛け紐掛止溝をそれぞれ形成したものである。
マスク紐用掛止具の使用時には、まずマスク紐用掛止具を後頭部に配置し、その後、マスクの左右一対の耳掛け紐をそれぞれ耳の後方へ引っ張って、各紐の先端部を、対応する耳掛け紐掛止溝にそれぞれ掛止する。これにより、マスクを長時間装着しても、耳の裏側に痛みが生じない。
【先行技術文献】
【特許文献】
【０００４】
【特許文献１】特許第３９６２３９２号公報
【特許文献２】特開２０１３−２５２３３９号公報
【考案の概要】
【考案が解決しようとする課題】
【０００５】
しかしながら、フェイスシールドとマスク紐用掛止具とは、別々に販売されており、それぞれ価格も高価であった。
【０００６】
本考案は、このような従来の問題点に艦がみなされたもので、マスク併用型フェイスシールドとマスク紐用掛止具とを、廉価な１枚のプラスチックシートから簡単に取得することができるマスク併用型フェイスシールドおよびマスク紐用掛止具キットを提供することを目的としている。
【課題を解決するための手段】
【０００７】
請求項１に記載の本考案は、１枚の透明で湾曲自在なプラスチックシートに、鼻および口を覆うマスクと併用して、該マスクの上から顔面を覆うマスク併用型フェイスシールドと、頭部の後ろ側に配されて、紐掛け具本体に前記マスクの左右一対の耳掛け紐を各々掛止する耳掛け紐掛止溝が形成されたマスク紐用掛止具とが、それぞれ取り外し可能に取り付けられたことを特徴とするマスク併用型フェイスシールドおよびマスク紐用掛止具キットである。
【０００８】
ここでいう「プラスチックシートに、マスク併用型フェイスシールドとマスク紐用掛止具とが取り外し可能」とは、例えば、プラスチックシートに形成されたミシン目や複数のスリットなどを介して、プラスチックシートからマスク併用型フェイスシールドとマスク紐用掛止具とを取り外せることを意味する。その他、プラスチックシートにプリントされたマスク併用型フェイスシールドとマスク紐用掛止具との輪郭に沿って、ハサミやカッタを使用して切り取ることでもよい。
【０００９】
マスクの種類およびマスクのサイズは限定されない。また、マスクの耳掛け紐の素材も限定されない。
プラスチックシートの素材としては、透明性な各種のプラスチックを採用できる。例えば、ポリエチレンテレフタレート、ポリプロピレン、アクリルなどでもよい。
プラスチックシートのサイズは、マスク併用型フェイスシールドとマスク紐用掛止具キットとが、少なくとも１つずつ形成できれば任意である。
プラスチックシートの厚さは、湾曲自在であれば任意である。例えば、０．２ｍｍ〜０．５ｍｍでもよい。
マスク併用型フェイスシールドの形状およびサイズは、使用者の顔面を覆うことが可能であれば任意である。
マスク紐用掛止具の形状および耳掛け紐掛止溝の形成数も任意である。使用時に、マスク紐用掛止具が配されるのは、例えば、使用者の後頭部などの頭の後ろ側である。
【００１０】
請求項２に記載の本考案は、前記マスク併用型フェイスシールドは、前記透明で湾曲自在なプラスチックシートからなるシールド本体を有し、該シールド本体の横方向の両端部には、前記マスクの耳掛け紐が挿通される縦長な紐通しスリットがそれぞれ形成されたことを特徴とする請求項１に記載のマスク併用型フェイスシールドおよびマスク紐用掛止具キットである。
【００１１】
ここでいう“横方向”とは、マスク併用型フェイスシールドを顔面に装着した使用状態における、「左右方向（幅方向）」をいう（マスクの“横方向”も同じ）。
ここでいう“縦方向”とは、マスク併用型フェイスシールドを顔面に装着した使用状態における、「上下方向（高さ方向）」をいう（マスクの“縦方向”も同じ）。
【００１２】
紐通しスリットの（縦方向の）長さは任意であるものの、特に８ｃｍ〜１２ｃｍが好ましい。この範囲であれば、一般的な成人男性用のマスク本体の縦方向の長さと略同じになる。そのため、子供や女性用の小型マスクから成人男性用マスクまで、対応する耳掛け紐をそれぞれの紐通しスリットに円滑に挿通することができる。
各紐通しスリットの形成位置は、シールド本体の横方向の両端部であれば任意である。例えば、シールド本体の横方向の両端から各数ｃｍだけ離間した位置に、各紐通しスリットを形成してもよい。
【００１３】
請求項３に記載の本考案は、前記シールド本体の横方向の両端部には、顔面の左右側の部分を覆う左右一対のサイドカバー部が配され、前記各紐通しスリットは、対応するサイドカバー部の基端部のうち、縦方向の両端部を除く部分にそれぞれ形成されていることを特徴とする請求項２に記載のマスク併用型フェイスシールドおよびマスク紐用掛止具キットである。
【００１４】
請求項４に記載の本考案は、前記シールド本体のうち、前記各紐通しスリットの形成部には、正面からの該紐通しスリットへの飛沫の侵入を防止する縦長なスリットカバーが配されたことを特徴とする請求項２又は請求項３に記載のマスク併用型フェイスシールドおよびマスク紐用掛止具キットである。
【００１５】
請求項５に記載の本考案は、前記シールド本体の鼻および口との対峙部分には、通気孔が形成されたことを特徴とする請求項２〜請求項４のうち、何れか１項に記載のマスク併用型フェイスシールドおよびマスク紐用掛止具キットである。
通気孔の形状は任意である。例えば、円、楕円でもよい。その他、直線状、円弧状又は任意形状のスリットでもよい。
通気孔のサイズ、形成数も任意である。例えば、夏季の暑さ対策として、シールド本体の鼻および口との対峙部分に、大口径な通気孔（直径５ｃｍ〜１５ｃｍ）を形成してもよい。
【００１６】
請求項６に記載の本考案は、前記シールド本体の鼻および口との対峙部分には、スリット状の前記通気孔を配することで、鼻の形状に合わせて変形可能な鼻口カバー部が設けられたことを特徴とする請求項５に記載のマスク併用型フェイスシールドおよびマスク紐用掛止具キットである。
【００１７】
ここでいう「鼻の形状に合わせて変形可能」とは、使用者（装着者）の顔面から突出した立体的な鼻の形状（例え鼻の高さや幅など）に沿って、鼻口カバー部が変形することを意味する。
“鼻口カバー部”とは、シールド本体のうち、使用者の鼻、口と対峙する領域に配されて、かつ所定のスリット状の通気孔が所定数形成されることで、鼻の立体的な形状に倣って変形できる構造を有した部分をいう。
【００１８】
請求項７に記載の本考案は、前記鼻口カバー部は、複数の前記スリット状の通気孔を同心円上に離間配置したものである請求項６に記載のマスク併用型フェイスシールドおよびマスク紐用掛止具キットである。
ここでいう同心円上に配される”円”の数は、複数であれば任意である。
それぞれの“円”を構成する円弧状のスリットの数は任意である。例えば、２本でも３本以上でもよい。
【００１９】
請求項８に記載の本考案は、前記紐掛け具本体の長さ方向の両端部を除く部分には、該紐掛け具本体の変形性を高める環状枠部が設けられたことを特徴とする請求項１〜請求項７のうち、何れか１項に記載のマスク併用型フェイスシールドおよびマスク紐用掛止具キットである。
【００２０】
請求項９に記載の本考案は、前記耳掛け紐掛止溝は、前記紐掛け具本体の長さ方向の両端部に、それぞれ１つずつ又は所定ピッチで複数ずつ形成されたことを特徴とする請求項１〜請求項８のうち、何れか１項に記載のマスク併用型フェイスシールドおよびマスク紐用掛止具キットである。
【００２１】
請求項１０に記載の本考案は、前記プラスチックシートには、広告を含む表示物が印刷されたことを特徴とする請求項１〜請求項９のうち、何れか１項に記載のマスク併用型フェイスシールドおよびマスク紐用掛止具キットである。
ここでいう“表示物”とは、例えば、広告を含む文字、数字、記号などを意味する。
プラスチックシート上の表示物が印刷される位置は任意である。白黒でもカラーでもよい。
【考案の効果】
【００２２】
請求項１に記載の考案によれば、例えば、マスクとマスク併用型フェイスシールドとを使用する際には、まず１枚のプラスチックシートからマスク併用型フェイスシールドと、耳掛け紐掛止溝が形成されたマスク紐用掛止具とをそれぞれ取り外す。これにより、マスク併用型フェイスシールドとマスク紐用掛止具とを、廉価な１枚のプラスチックシートから簡単に得ることができる。
【００２３】
その後は、マスクを鼻や口にあてがった状態で、左右一対の耳掛け紐を、耳に掛けるのではなく、使用者の頭部の後ろ側まで引っ張って、マスク紐用掛止具の耳掛け紐掛止溝にそれぞれ掛止するとともに、このマスクの上からマスク併用型フェイスシールドにより顔面を覆う。これにより、マスクを長時間使用しても、耳の裏側に痛みが生じない。
なお、マスク併用型フェイスシールドのみ、マスク紐用掛止具キットのみで使用することも可能である。
【図面の簡単な説明】
【００２４】
【図１】本考案の実施例１に係るマスク併用型フェイスシールドおよびマスク紐用掛止具キットの平面図である。
【図２】本考案の実施例１に係るマスク併用型フェイスシールドおよびマスク紐用掛止具キットのうち、マスク併用型フェイスシールドの使用状態を示す前方からの斜視図である。
【図３】本考案の実施例１に係るマスク併用型フェイスシールドおよびマスク紐用掛止具キットのうち、マスク紐用掛止具の使用状態を示す後方からの斜視図である。
【考案を実施するための形態】
【００２５】
以下、この考案の実施例を具体的に説明する。
【実施例】
【００２６】
図１および図２に示すように、本考案の実施例１に係るマスク併用型フェイスシールドおよびマスク紐用掛止具キットＡは、鼻および口を覆うマスク１１と併用して、マスク１１の上から顔面を覆うマスク併用型フェイスシールド１０と、頭部の後ろ側に配されて、紐掛け具本体５０にマスク１１の耳掛け紐１３を掛止する耳掛け紐掛止溝５１が複数形成されたマスク紐用掛止具５２とを、１枚の透明で湾曲自在なプラスチックシートＳに取り外し（抜き取り）可能に配設したものである。
これらのマスク併用型フェイスシールド１０およびマスク紐用掛止具５２は、それぞれの輪郭に配されたミシン目Ｍを介して、プラスチックシートＳに抜き取り可能に形成されている。
【００２７】
以下、マスク併用型フェイスシールドおよびマスク紐用掛止具キットＡについて、具体的に説明する。
プラスチックシートＳは、厚さ０．２５ｍｍ、縦２６０ｍｍ、横２６０ｍｍのポリエチレンテレフタレート製の肉薄シートである。
マスク併用型フェイスシールド（以下、フェイスシールド）１０は、鼻および口を覆うマスク１１と併用して、マスク１１の上から顔面を覆うものである。
【００２８】
マスク１１は、一般的な成人男性用の衛生マスクで、縦９．５ｃｍ、横１７．５ｃｍの横長で矩形状の不織布からなるマスク本体１２と、マスク本体１２の横方向（幅方向）の両端部１２ａに、それぞれの長さ方向の両端部１３ａが連結された左右一対のゴム製の耳掛け紐１３とを有している。
【００２９】
図1および図２に示すように、フェイスシールド１０は、略台形状のシールド本体１４を有している。シールド本体１４は、縦２０ｃｍ、上辺２０ｃｍ、下辺１８ｃｍ、厚さ０．２５ｍｍのサイズを有する、ポリエチレンテレフタレート製のものである。なお、シールド本体１４の横方向の中間位置には、後述する鼻口カバー部１５を除いて縦長な折り目ａが形成されている。
【００３０】
フェイスシールド１０の使用直前には、この折り目ａを中心にして、あらかじめシールド本体１４を若干その横方向の中間位置で内折りしておく。これにより、フェイスシールド１０およびマスク１１の併用時に、鼻口カバー部１５の各円弧状スリット１５ａが開口し易くなって、マスク着用時の呼吸がし易くなる。
このシールド本体１４は、上辺と下辺とがなだらかな円弧状を有し、かつ四隅がそれぞれＲ面取りされている。
【００３１】
また、シールド本体１４の横方向の両端（左右の辺）のうち、その上端部を除く部分には、シールド本体１４を延長して、顔面の左右側の部分を覆う縦１０．５ｃｍ、幅１．４ｃｍの左右一対のサイドカバー部１６が配設されている。各サイドカバー部１６の基端の上，下端部には、それぞれ縦方向に延びる短尺な折り目ｂが形成されている。
【００３２】
各サイドカバー部１６の基端部には、その縦方向の両端部を除いて、マスク１１の耳掛け紐１３が挿通される縦長な紐通しスリット１７がそれぞれ形成されている。各紐通しスリット１７の長さは７ｃｍである。
このシールド本体１４のうち、各紐通しスリット１７の形成部には、正面からの紐通しスリット１７への飛沫の侵入を防止する、幅３ｍｍの縦長なスリットカバー１８がそれぞれ切欠形成されている。
【００３３】
また、シールド本体１４のうち、使用者の鼻および口との対峙部分（中央下部）には、複数の円弧状スリット（通気孔）１５ａを配することで、鼻の形状に合わせて変形自在な直径９ｃｍの鼻口カバー部１５が設けられている（図１を参照）。なお、夏季の暑さ対策として、シールド本体１４の鼻および口との対峙部分に、直径１２ｃｍ〜１３ｃｍの大口径な通気孔を形成してもよい（図示せず）。
この鼻口カバー部１５は、同心円で配された大小５つの円上に、各４本の長尺な円弧状スリット１５ａを９０°ピッチで配したことで形成される。各隣接する円弧状スリット１５ａの間には、複数の連結板片１５ｂがそれぞれ形成されている。
【００３４】
すなわち、大小５つの同心円上には、左上、右上、左下および右下という斜め４５°で、それぞれ４つずつ連結板片１５ｂが配されている。
このように、各円上にそれぞれ４つの連結板片１５ｂを斜め４５°の９０°ピッチで配したため、鼻口カバー部１５を使用者の縦長な鼻に押し当てたとき、この鼻口カバー部１５が鼻の形状に従順に変形し易くなっている。
【００３５】
しかも、このマスク１１の併用時には、鼻口カバー部１５が鼻の形状に倣うため、使用者の口周辺の左，右側部と下部とにあっては、同心円状に配された各紐通しスリット１７がそれぞれ大きく開口することとなる。その結果、マスク１１の併用時の呼吸がさらに容易となる。
また、５つの“円”の直径方向の間隔は、内方へ行くほど徐々に狭くなるようにしたため、やわらかな鼻先部分に対しても、鼻口カバー部１５の変形はスムーズになる。
【００３６】
図１および図３に示すように、マスク紐用掛止具５２は、マスク本体１２に配された左右一対の耳掛け紐１３を、使用者の後頭部で掛止するポリエチレンテレフタレート製の薄肉なシート片である。マスク紐用掛止具５２のサイズは、長さ約１７８ｍｍ、幅３５ｍｍ、厚さ０．２５ｍｍである。
マスク紐用掛止具５２は、横長で湾曲自在なシート状の紐掛け具本体５０を有している。この紐掛け具本体５０の長さ方向の両端部には、この紐掛け具本体５０の長さ方向へ所定ピッチで３つずつ形成された耳掛け紐掛止溝５１がそれぞれ形成されている。各耳掛け紐掛止溝５１は、各“くの字”に屈曲されている。
また、紐掛け具本体５０の長さ方向の両端部を除く部分には、横長な長孔５０ａを形成することで紐掛け具本体５０の変形性を高める環状枠部５３が形成されている。
【００３７】
次に、図１〜図３を参照して、本考案の実施例１に係るマスク併用型フェイスシールドおよびマスク紐用掛止具キットＡの使用方法を説明する。
マスク１１とフェイスシールド１０とを併用する際には、まず１枚のプラスチックシートＳからフェイスシールド１０と、耳掛け紐掛止溝５１が形成されたマスク紐用掛止具５２とを、それぞれミシン目Ｍに沿って取り外す。これにより、フェイスシールド１０とマスク紐用掛止具５２とを、廉価な１枚のプラスチックシートＳから簡単に得ることができる。
【００３８】
その後、マスク１１をフェイスシールド１０に掛止してから、マスク１１を鼻や口にあてがった状態で、左右一対の耳掛け紐１３を、耳に掛けるのではなく、使用者の頭部の後ろ側まで引っ張って、マスク紐用掛止具５２の長さ方向の両端部に３つずつ配された耳掛け紐掛止溝５１の何れかにそれぞれ掛止する。これにより、マスク１１を長時間使用しても、耳の裏側に痛みが生じない。
【００３９】
ここで、図１および図２を参照して、マスク１１をフェイスシールド１０に掛止する方法を具体的に説明する。
フェイスシールド１０の使用時（マスク１１併用時）には、まずシールド本体１４の内側にマスク本体１２を配置して、各サイドカバー部１６の基端部に配された左右一対の縦長な紐通しスリット１７に、対応する耳掛け紐１３をそれぞれ挿通する。これにより、各耳掛け紐１３を介して、マスク１１とフェイスシールド１０とが一体化する。
【００４０】
ところで、マスク併用時、左右の耳掛け紐１３は、各々の耳を通過して後方（耳の方向）へ扇状に引っ張られ、マスク紐用掛止具５２にそれぞれ掛止される。
これにより、マスク本体１２の横方向の両端部１２ａは、各耳掛け紐１３のテンションの作用によって外方へ円弧状に湾曲されることなく、通常の（単独での）マスク装着時と同様に、縦方向に引き萎められる（縮められる）。
これは、各紐通しスリット１７を縦長とした構成を採用したためであり、この作用効果は、成人男性用の一般サイズのマスク１１の場合でも、女性や子供用の小型サイズのマスク１１（図示せず）の場合でも同じである。
【００４１】
そのため、マスク１１が一体的に掛止されるフェイスシールド１０でありながら、マスク１１サイズに拘わりなく、マスク本体１２の横方向の両端部１２ａと顔面とのあいだに、マスク本体１２の横方向の両端部が、外方へ円弧状に湾曲されることを原因とした“隙間”がそれぞれ現出しにくくなる。その結果、この隙間Ｇからのウイルス等の侵入を防止することができる。
【００４２】
また、この使用時には、左右一対のサイドカバー部１６の基端部に形成された縦長な各紐通しスリット１７に、対応する耳掛け紐１３をそれぞれ挿通している。そのため、各耳掛け紐１３を引っ張りながら、各サイドカバー部１６の内曲げを伴って左右の耳に引っ掛けるというマスク１１の装着動作を行うだけで、自動的に、各サイドカバー部１６によって顔面の左，右側部を覆うことができる。
【００４３】
さらには、シールド本体１４のうち、各紐通しスリット１７の形成部に、縦長なスリットカバー１８をそれぞれ切欠形成したため、正面からの紐通しスリット１７への飛沫の侵入を防止することができる。
また、シールド本体１４の鼻および口との対峙部分に円弧状スリット１５ａを形成したため、フェイスシールド１０の使用時（マスク１１との併用時）の息苦しさを低減することができる。
【００４４】
さらに、このシールド本体１４の鼻および口との対峙部分に、円弧状スリット１５ａを配して鼻口カバー部１５を形成したため、使用時、マスク１１を介して鼻に押し当てられた鼻口カバー部１５が、この鼻の形状に合わせて変形する。
これにより、左右の耳掛け紐１３を連結部材として、マスク１１とフェイスシールド１０とを一体化するマスク併用型フェイスシールド１０の課題であった、マスク１１を介しての鼻へのシールド本体１４の押し付け圧を緩和することができる。
【００４５】
さらにまた、ここでは複数の円弧状スリット１５ａを同心円上に配して鼻口カバー部１５を形成したため、使用時に、鼻先を鼻口カバー部１５の中心部分に配した状態でマスク１１付きのフェイスシールド１０を顔面に装着するだけで、この鼻先の対峙部分を中心にして、鼻口カバー部１５が略円錐状に変形する。
【００４６】
その結果、鼻の形状に合わせた鼻口カバー部１５の変形がスムーズとなり、かつ各スリット状の通気孔１５ａも鼻や口の周りに所定ピッチで配されて通気性がさらに高まるため、マスク１１およびフェイスシールド１０を装着した状態での呼吸がより以上に容易となる。
また、紐掛け具本体５０の長さ方向の両端部を除く部分には、横長な環状枠部５３が形成されているため、マスク使用時に押し当てられた後頭部の形状に合わせて、紐掛け具本体５０が変形し易くなる。その結果、マスク紐用掛止具５０の着用感が良好となる。
【産業上の利用可能性】
【００４７】
この考案のマスク併用型フェイスシールドおよびマスク紐用掛止具キットは、例えば、患者の体液などの飛沫から顔面を保護するマスク併用型フェイスシールおよびマスクの耳掛け紐の掛止具として有用な技術である。
【符号の説明】
【００４８】
Ａ  マスク併用型フェイスシールドおよびマスク紐用掛止具キット
１０  マスク併用型フェイスシールド
１１  マスク
１３  耳掛け紐
１４  シールド本体
１５  鼻口カバー部
１５ａ  円弧状スリット（通気孔）
１６  サイドカバー部
１７  紐通しスリット
１８  スリットカバー
５０  紐掛け具本体
５１  耳掛け紐掛止溝
５２  マスク紐用掛止具
５３  環状枠部
Ｓ  プラスチックシート
【図１】
0003228490.tif 000003
【図２】
0003228490.tif 000004
【図３】
0003228490.tif 000005
【手続補正書】
【提出日】令和2年7月28日(2020.7.28)
【手続補正１】
【補正対象書類名】実用新案登録請求の範囲
【補正対象項目名】全文
【補正方法】変更
【補正の内容】
【実用新案登録請求の範囲】
【請求項１】
１枚の透明で湾曲自在なプラスチックシートに、
鼻および口を覆うマスクと併用して、該マスクの上から顔面を覆うマスク併用型フェイスシールドと、
頭部の後ろ側に配されて、紐掛け具本体に前記マスクの左右一対の耳掛け紐を各々掛止する耳掛け紐掛止溝が形成されたマスク紐用掛止具とが、それぞれ取り外し可能に取り付けられたことを特徴とするマスク併用型フェイスシールドおよびマスク紐用掛止具を備えたキット。
【請求項２】
前記マスク併用型フェイスシールドは、
前記透明で湾曲自在なプラスチックシートからなるシールド本体を有し、
該シールド本体の横方向の両端部には、前記マスクの耳掛け紐が挿通される縦長な紐通しスリットがそれぞれ形成されたことを特徴とする請求項１に記載のマスク併用型フェイスシールドおよびマスク紐用掛止具を備えたキット。
【請求項３】
前記シールド本体の横方向の両端部には、顔面の左右側の部分を覆う左右一対のサイドカバー部が配され、
前記各紐通しスリットは、対応するサイドカバー部の基端部のうち、縦方向の両端部を除く部分にそれぞれ形成されていることを特徴とする請求項２に記載のマスク併用型フェイスシールドおよびマスク紐用掛止具を備えたキット。
【請求項４】
前記シールド本体のうち、前記各紐通しスリットの形成部には、正面からの該紐通しスリットへの飛沫の侵入を防止する縦長なスリットカバーが配されたことを特徴とする請求項２または請求項３に記載のマスク併用型フェイスシールドおよびマスク紐用掛止具を備えたキット。
【請求項５】
前記シールド本体の鼻および口との対峙部分には、通気孔が形成されたことを特徴とする請求項２〜請求項４のうち、何れか１項に記載のマスク併用型フェイスシールドおよびマスク紐用掛止具を備えたキット。
【請求項６】
前記シールド本体の鼻および口との対峙部分には、スリット状の前記通気孔を配することで、鼻の形状に合わせて変形可能な鼻口カバー部が設けられたことを特徴とする請求項５に記載のマスク併用型フェイスシールドおよびマスク紐用掛止具を備えたキット。
【請求項７】
前記鼻口カバー部は、複数の前記スリット状の通気孔を同心円上に離間配置したものである請求項６に記載のマスク併用型フェイスシールドおよびマスク紐用掛止具を備えたキット。
【請求項８】
前記紐掛け具本体の長さ方向の両端部を除く部分には、該紐掛け具本体の変形性を高める環状枠部が設けられたことを特徴とする請求項１〜請求項７のうち、何れか１項に記載のマスク併用型フェイスシールドおよびマスク紐用掛止具を備えたキット。
【請求項９】
前記耳掛け紐掛止溝は、前記紐掛け具本体の長さ方向の両端部に、それぞれ１つずつまたは所定ピッチで複数ずつ形成されたことを特徴とする請求項１〜請求項８のうち、何れか１項に記載のマスク併用型フェイスシールドおよびマスク紐用掛止具を備えたキット。
【請求項１０】
前記プラスチックシートには、広告を含む表示物が印刷されたことを特徴とする請求項１〜請求項９のうち、何れか１項に記載のマスク併用型フェイスシールドおよびマスク紐用掛止具を備えたキット。